(57)【要約】【課題】本発明は、周辺装置を配備する必要がない多機能プロジェクターを提供することを目的とする。【解決手段】本発明に係る多機能プロジェクターは、投影モジュール、記憶装置、ビデオ再生モジュール及びファイルオープンモジュールを備え、前記記憶装置は、映像ファイル及びドキュメントを格納し、前記映像再生モジュールは、前記記憶装置から映像ファイルを読み取って該映像ファイルを再生し、前記ファイルオープンモジュールは、前記記憶装置からドキュメントを読み取って該ドキュメントを開き、前記投影モジュールは、前記映像再生モジュールにより再生される映像ファイル又は前記ファイルオープンモジュールにより開かれたドキュメントに対応する映像を予定の表示位置に同期して投影する。【選択図】図２
2013164587.tif 000002
【特許請求の範囲】
【請求項１】
投影モジュールを備える多機能プロジェクターであって、
該多機能プロジェクターは、記憶装置、映像再生モジュール及びファイルオープンモジュールをさらに備え、
前記記憶装置は、映像ファイル及びドキュメントを格納し、
前記映像再生モジュールは、前記記憶装置から映像ファイルを読み取って該映像ファイルを再生し、
前記ファイルオープンモジュールは、前記記憶装置からドキュメントを読み取って該ドキュメントを開き、
前記投影モジュールは、前記映像再生モジュールにより再生される映像ファイル又は前記ファイルオープンモジュールにより開かれたドキュメントに対応する映像を、予定の表示位置に同期して投影することを特徴とする多機能プロジェクター。
【請求項２】
ローカルエリアネットワークポートをさらに備え、
外部装置は前記多機能プロジェクターにアクセスし、且つ該多機能プロジェクターに映像ファイル及びドキュメントを伝送するために、前記多機能プロジェクターは、前記ローカルエリアネットワークポートを介して、外部装置と接続される特徴とする請求項１に記載の多機能プロジェクター。
【請求項３】
外部装置が伝送してきた映像ファイル及びドキュメントを受信し、且つ該映像ファイル及びドキュメントを前記記憶装置の中に保存するために用いられるデータ受信ソフトがインストールされていることを特徴とする請求項１または２に記載の多機能プロジェクター。
【請求項４】
外部装置が該多機能プロジェクターに映像ファイル及びドキュメントを伝送するために、外部装置と接続するためのＵＳＢポートがさらに備えられていることを特徴とする請求項１から３の何れか一項に記載の多機能プロジェクター。
【請求項５】
前記映像ファイル及びドキュメントに対する操作を実現するためのタッチパネルを備えることを特徴とする請求項１から４の何れか一項に記載の多機能プロジェクター。
【請求項６】
前記映像ファイル或いは前記ドキュメントを操作するための押しボタンと、該押しボタンに電気的に接続され、且つ該押しボタンへの操作に応答して相応する制御信号を生成するプロセッサーと、操作モジュールをさらに備えることを特徴とする請求項１から５の何れか一項に記載の多機能プロジェクター。
【発明の詳細な説明】
【技術分野】
【０００１】
本発明は、多機能プロジェクターに関するものである。
【背景技術】
【０００２】
現在、プロジェクターは、仕事や日常生活の中で常用されている情報機器の１つである。例えば、仕事においては、プロジェクターを介して各種のドキュメントを表示したり、日常生活においては、プロジェクターを介してホームシアターを作ることができる。
【０００３】
しかし、従来のプロジェクターは、殆んど映像を投影する機能のみしか有しておらず、自ら映像を再生したり、ドキュメントを表示する機能は有していない。従って、プロジェクターを使用する際、必ずパソコンや、マウス、キーボード等の周辺装置も別に配備しなければならないため、使用に不便で且つ資源の浪費をもたらす。
【発明の概要】
【発明が解決しようとする課題】
【０００４】
本発明は、上記の問題点に鑑みてなされたものであり、周辺装置を配備する必要がない多機能プロジェクターを提供することを目的とする。
【課題を解決するための手段】
【０００５】
上記の目的を達成するために、本発明に係る多機能プロジェクターは、投影モジュール、記憶装置、映像再生モジュール及びファイルオープンモジュールを備え、前記記憶装置は、映像ファイル及びドキュメントを格納し、前記映像再生モジュールは、前記記憶装置から映像ファイルを読み取って該映像ファイルを再生し、前記ファイルオープンモジュールは、前記記憶装置からドキュメントを読み取って該ドキュメントを開き、前記投影モジュールは、前記映像再生モジュールにより再生される映像ファイル又は前記ファイルオープンモジュールにより開かれたドキュメントに対応する影像を予定の表示位置に同期して投影する。
【発明の効果】
【０００６】
従来の技術とは異なり、本発明の多機能プロジェクターは、自身が各種のデータを格納することができる。さらに、多機能プロジェクターに映像再生モジュール及びファイルオープンモジュールを設けることにより、映像ファイルを再生したりドキュメントを開くことができる。これにより、映像ファイル及びドキュメントは、投影の手段を通じて同時に放映される。本発明の多機能プロジェクターは、コンピュータ用ホスト、マウス及びキーボード等の周辺装置を別に配置する必要がないため、使用に便利で、且つ資源を効果的に節約することができる。
【図面の簡単な説明】
【０００７】
【図１】本発明の実施形態に係る多機能プロジェクターの斜視図である。
【図２】図１に示した多機能プロジェクターの部分的な機能モジュールを示す図である。
【発明を実施するための形態】
【０００８】
図１及び図２に示すように、本発明の実施形態に係る多機能プロジェクター１００は、ローカルエリアネットワークポート（以下ＬＡＮポートと略称する）１０と、ユニバーサルシリアルバスポート（以下ＵＳＢポートと略称する）２０と、記憶装置３０と、タッチパネル４０と、映像再生モジュール５０と、ファイルオープンモジュール６０と、操作モジュール７０と、投影モジュール８０と、を備える。
【０００９】
多機能プロジェクター１００のＬＡＮポート１０は、ＬＡＮケーブルを介して外部装置（例えばパソコン）に接続される。これにより、ローカルエリアネットワークの中の外部装置は、ＬＡＮポート１０を介して多機能プロジェクター１００にアクセスして、データ（例えば、ＰＰＴ、映像ファイル等）の伝送を行なう。さらに、多機能プロジェクター１００内には、イージーＬＡＮ（Ｅａｓｙｌａｎ）等のデータ受信ソフトがインストールされている。該データ受信ソフトは、外部装置が伝送したデータを受信し、且つデフォルトによって受信したデータを記憶装置３０内に保存する。本実施形態において、記憶装置３０はハードディスクであることが好ましい。
【００１０】
ＵＳＢポート２０は、ＵＳＢデータラインと外部装置（例えば、携帯電話）とを接続するために用いられ、該外部装置は、このＵＳＢポート２０を介して、多機能プロジェクター１００にデータ（例えば、ＰＰＴ、映像ファイル等）を伝送する。多機能プロジェクター１００は、前記データを受信した後、デフォルトによってそれを記憶装置３０内に保存する。
【００１１】
タッチパネル４０はタッチ機能を実現するために用いられる。ユーザーは、タッチパネル４０を介して、各種のドキュメント及び映像ファイルに対して操作することができる。例えば、タッチパネル４０をタッチすることで、ドキュメントを開く、編集する、ページをめくる等の操作を実現したり、映像ファイルを開く、早送りする、巻き戻しする、一時停止する等の操作を実現することができる。
【００１２】
映像再生モジュール５０は、記憶装置３０が格納した映像ファイルを読み取って、該映像ファイルを放映することに用いられる。本実施形態において、映像再生モジュール５０は、映像再生ソフトを備えている。好ましくは、該映像再生ソフトは、何れかの映像フォーマットを再生できるソフトウェアである。これにより、ユーザーは、映像ファイルのフォーマットを変換する必要はない。
【００１３】
ファイルオープンモジュール６０は、記憶装置３０が格納したドキュメントを読み取り、該ドキュメントを開くことに用いられる。本実施形態において、ファイルオープンモジュール６０は、ドキュメントオープンソフトを備えている。好ましくは、該ドキュメントオープンソフトは、何れかのドキュメントフォーマットを開くことができるソフトウェアである。例えば、Ｗｏｒｄ、Ｅｘｃｅｌ、ＰＰＴ及びＰＤＦ等のフォーマットのドキュメントである。
【００１４】
操作モジュール７０は、映像ファイル或いはドキュメントに対して操作することに用いられて、タッチパネル４０の機能に代替することができる。具体的には、操作モジュール７０は、押しボタン７２及びプロセッサー（図示せず）を備える。押しボタン７２は、映像ファイル或いはドキュメントを操作することに用いられる。例えば、押しボタン７２を押すことにより、操作対象を選択し、操作対象をダブルクリック或いはクリックして、操作対象をコピーする等である。前記プロセッサーは、押しボタン７２に電気的に接続されて、押しボタン７２への操作に応答して、対応する制御信号を生成して、多機能プロジェクター１００に対応する命令を実行させる。例えば、押しボタン７２によってＷｏｒｄをダブルクリックした場合、該プロセッサーは直ちに制御信号を生成してＷｏｒｄを開く。
【００１５】
投影モジュール８０は、映像再生モジュール５０が再生する映像ファイル又はファイルオープンモジュール６０が開いたドキュメントに対応する映像を、予定の表示位置に同期して投影し、ユーザーの観賞に備える。投影モジュール８０の構造及び動作原理等は、既存のものであるので、ここでの詳しい説明は省略する。
【００１６】
以下、本発明の多機能プロジェクター１００の動作原理について、例を挙げてさらに説明する。
【００１７】
データ格納の段階において、ユーザーは、プロジェクターのＬＡＮポート１０及びＵＳＢポート２０を介して記憶装置３０の中にデータ（例えば、ＰＰＴ、映像ファイル等）を格納することができる。ある映像ファイルを投影したい場合、ユーザーは、タッチパネル４０或いは操作モジュール７０を介して映像再生モジュール５０を起動して、映像再生モジュール５０を介して上記の映像ファイルを放映する。該映像ファイルが放映される過程において、映像ファイルは、投影モジュール８０により予定の位置に同期して投影される。これと同時に、該映像ファイルが放映される過程において、タッチパネル４０或いは操作モジュール７０を介して、該映像ファイルをさらにコントロールすることができる。例えば、該映像ファイルに対して、一時停止、音量調節等ができる。
【００１８】
上記の実施形態によれば、本発明の多機能プロジェクター１００は、自身が各種のデータを格納することができる。さらに、多機能プロジェクター１００に映像再生モジュール５０及びファイルオープンモジュール６０を設けることにより、映像ファイルを再生したりドキュメントを開くことができる。これにより、映像ファイル及びドキュメントは、投影の手段を通じて同時に放映される。本発明の多機能プロジェクター１００は、コンピュータ用ホスト、マウス及びキーボード等の周辺装置を別に配置する必要がないため、使用に便利で、且つ資源を効果的に節約することができる。
【００１９】
以上、本発明の好適な実施形態について詳細に説明したが、本発明は実施形態に限定されるものではなく、本発明の範囲内で種々の変形又は修正が可能であり、該変形又は修正も本発明の特許請求の範囲内に含まれるものであることは言うまでもない。
【符号の説明】
【００２０】
１０        ＬＡＮポート
２０        ＵＳＢポート
３０        記憶装置
４０        タッチパネル
５０        映像再生モジュール
６０        ファイルオープンモジュール
７０        操作モジュール
７２        押しボタン
８０        投影モジュール
１００      多機能プロジェクター
【図１】
2013164587.tif 000003
【図２】
2013164587.tif 000004